(57)【要約】      （修正有）【課題】  本発明は、旋回コークバケット上部のコークス投入口からのダストの飛散防止のための旋回コークバケット用蓋の開閉装置を提供する。【解決手段】  コークス炉から窯出しされた赤熱コークスを受けた後、コークス乾式消火設備へ搬送するための走行台車１上に設けられた旋回コークバケット７の上部を開閉する旋回コークバケット用蓋６の開閉装置であって、前記走行台車上に、該走行台車と同じ方向に移動する移動台車２を設け、該移動台車上に、昇降手段により昇降するＬ字形状のアーム５を設け、該アームの先端部で前記旋回コークバケット用蓋を吊支することを特徴とする旋回コークバケット用蓋の開閉装置。【選択図】    図１
2006257252.tif 000002
【特許請求の範囲】
【請求項１】
コークス炉から窯出しされた赤熱コークスを受けた後、コークス乾式消火設備へ搬送するための走行台車上に設けられた旋回コークバケットの上部を開閉する旋回コークバケット用蓋の開閉装置であって、前記走行台車上に、該走行台車と同じ方向に移動する移動台車を設け、該移動台車上に、昇降手段により昇降するＬ字形状のアームを設け、該アームの先端部で前記旋回コークバケット用蓋を吊支することを特徴とする旋回コークバケット用蓋の開閉装置。
【請求項２】
請求項１に記載の昇降手段を昇降シリンダと昇降ガイドから構成したことを特徴とする旋回コークバケット用蓋の開閉装置。
【請求項３】
請求項２に記載の昇降ガイドを１対し、該昇降ガイドの中央部に昇降シルンダを設けたことを特徴とする旋回コークバケット用蓋の開閉装置。
【請求項４】
請求項２に記載の昇降ガイドを１対の昇降シリンダの中央部に設けたことを特徴とする旋回コークバケット用蓋の開閉装置。
【発明の詳細な説明】
【技術分野】
【０００１】
本発明は、旋回コークバケット上部のコークス投入口からのダストの飛散防止のための旋回コークバケット用蓋の開閉装置に関するものである。
【背景技術】
【０００２】
従来、コークス炉から窯出しされた赤熱コークスの消火は、赤熱コークスを積載した消火車を消火塔に移動させ、上部から大量の水を散水して消火する湿式消火が採用されている。しかしながら、赤熱コークスの湿式消火は、赤熱コークスの保有する膨大な熱量が蒸気となって大気中に逃散するばかりでなく、発生する水蒸気に同伴されて粉コークスが周囲近傍に飛散して公害問題を起こすこととなる。このため、最近の赤熱コークスの消火は、赤熱コークスの保有する膨大な熱量の有効利用、コークスの品質向上、粉塵公害の問題を解決ないしは低減できるコークス乾式消火に変わってきている。
【０００３】
図６は、従来の旋回コークバケット本体を示す全体概略図である。この図に示すように、コークス炉から窯出しされたコークスを受けた後、コークス乾式設備へ搬送するため、走行台車１上に設けられた旋回装置８により旋回・積載されてなる旋回コークバケット本体７が設けられている。この旋回コークバケット本体７の中央部には上部が開口されたコークバケットが載置されている。
【０００４】
このコークス乾式消火設備の搬送設備における集塵は、上述した開口されたコークバケットから発塵が生じ、この発塵箇所を完全に密閉することができないために、粉塵公害を起こす可能性がある。特にコークス炉から窯出しされた赤熱コークスを旋回バケットに受入れ、コークス消火設備まで輸送する間に旋回バケット上部のコークス投入口からダストが飛散する。この飛散ダストは工場の環境悪化を招くと共に、近隣の住宅地域までダストが到達するなど、ダスト飛散防止が緊急の課題となっている。
【０００５】
上述した問題を解決するための、一つの対策として、例えば実開平７−２８９５０号公報（特許文献１）に開示されているように、コークス炉から窯出しされたコークスをコークス乾式消火設備へ搬送するためのコークスバケット本体上部のコークス投入口に、水平方向へ開閉可能なスライドカバーを設けたコークスバケットが提案されている。さらに、実開平５−４６９３９号公報（特許文献２）に開示されているように、コークス炉からコークスガイド車を介して台車上のバケットにコークスを積込むようにしたコークス乾式消火設備において、コークスガイド車の側部に台車上のバケットの上部にこれを覆うバケットカバーを着脱するための昇降枠とこれを設けられてバケットカバーを係脱する可動フックとを有するバケットカバー着脱装置を設けたコークス乾式消火設備が提案されている。
【０００６】
【特許文献１】実開平７−２８９５０号公報
【特許文献２】実開平５−４６９３９号公報
【発明の開示】
【発明が解決しようとする課題】
【０００７】
しかしながら、上述した特許文献１では、固定式バケットであればスライドカバーの開閉は自在となるものの、旋回式バケットにおいては、旋回バケットと共にスライドカバー駆動装置が旋回するため、動力用エアー、または電気の供給が困難となり、スライドカバーの開閉駆動ができない状態となると言う問題がある。また、特許文献２では、赤熱コークスをコークス消火設備に装入した後、または、赤熱コークスを受け入れる前に、コークスガイド車側部のカバー脱着位置まで、常にバケット台車が移動しなければならず、その移動が、タイムスケジュールのロスとなり生産量低下につながっていた。
【課題を解決するための手段】
【０００８】
上述したような問題を解消するために、発明者らは鋭意開発を進めた結果、コークス炉から窯出しされた赤熱コークスをバケットに受入れた後、バケット投入口に発塵防止用の蓋でカバーすることで、コークス乾式消火設備までの赤熱コークスを輸送する間に、旋回バケット上部のコークス投入口から発塵するのを防ぐ発塵防止装置を提供するものである。
【０００９】
その発明の要旨とするところは、
（１）コークス炉から窯出しされた赤熱コークスを受けた後、コークス乾式消火設備へ搬送するための走行台車上に設けられた旋回コークバケットの上部を開閉する旋回コークバケット用蓋の開閉装置であって、前記走行台車上に、該走行台車と同じ方向に移動する移動台車を設け、該移動台車上に、昇降手段により昇降するＬ字形状のアームを設け、該アームの先端部で前記旋回コークバケット用蓋を吊支することを特徴とする旋回コークバケット用蓋の開閉装置。
【００１０】
（２）前記（１）に記載の昇降手段を昇降シリンダと昇降ガイドから構成したことを特徴とする旋回コークバケット用蓋の開閉装置。
（３）前記（２）に記載の昇降ガイドを１対し、該昇降ガイドの中央部に昇降シリンダを設けたことを特徴とする旋回コークバケット用蓋の開閉装置。
（４）前記（２）に記載の昇降ガイドを１対の昇降シリンダの中央部に設けたことを特徴とする旋回コークバケット用蓋の開閉装置にある。
【発明の効果】
【００１１】
以上述べたように、本発明により、旋回バケットにおいて蓋脱着装置への動力源、またはエヤーの供給を可能とし、また、蓋の脱着は台車移動中に行うことが出来るため時間のロスが無い等工業的に極めて優れた効果を奏するものである。
【発明を実施するための最良の形態】
【００１２】
以下、本発明について図面に従って詳細に説明する。                              図１は、本発明に係る旋回コークバケット本体を示す全体概略図である。この図に示すように、コークス炉から押し出された赤熱コークスを、不活性ガスにて冷却し、熱回収するためのコークス乾式消火設備での赤熱コークス受け骸用バケットであって、コークス炉から窯出しされたコークスを受けた後、コークス乾式消火設備へ搬送するため、走行台車１上に設けられた旋回装置８により旋回・積載されてなる旋回コークバケット本体７を設け、走行台車１上を移動可能な移動台車２上に設けられた、この旋回コークバケット本体７の上部を開閉する旋回コークバケット用蓋６の開閉装置から構成される。
【００１３】
上記走行台車１上に設けられた旋回装置８を設け、その移動する子台車からなる移動台車２上に、昇降装置３として昇降シリンダ４と昇降ガイド９により昇降し、また、旋回コークバケット用蓋６を吊支するアーム５を設けた。これらを移動台車２上に設け、この移動台車２を走行台車１に装備し、コークス炉、コークス消火設備間を移動し、コークス炉のタイムスケジュールを妨げることなく、バケット投入口からの発塵を防止することを可能とした。
【００１４】
すなわち、上記昇降装置３を移動台車２上に設け、旋回コークバケット本体７から蓋脱着装置を分離し、動力電源、または、エアーの供給を行うことで、コークス炉から押し出される赤熱コークスを、バケット本体が回転して受骸する旋回バケットでも、発塵防止用の蓋を着脱可能とすることが出来た。しかも、バケット上部の投入口を覆う旋回コークバケット用蓋６、アーム５を昇降させる昇降装置３、アーム５と昇降装置３一体で走行可能な移動台車２を一体装置としたものである。
【００１５】
図２は、本発明に係る移動台車の断面図である。この図に示すように、移動台車２にはチェーン１０によるスプロッケト１１を駆動機１２に連結させ、駆動機１２は走行台車１に設置され、この駆動機１２によってカップリング１３を介して軸受１４からスプロッケト１１に連動されるように構成されている。このスプロッケト１１によって移動台車２は移動する。なお、符号１５は車輪を示す。
【００１６】
図３は、本発明に係る昇降装置の断面図である。図３（ａ）は昇降装置の本体であり、図３（ｂ）は昇降装置にアーム５を設置した状態を示している。この図３に示すように、昇降手段を昇降シリンダ４と昇降ガイド１６から構成され、しかも、昇降ガイド１６を１対とし、その昇降ガイド１６は、ばね１７によって上下動が可能とし、その昇降ガイド１６の中央部に昇降シリンダ４を設けたものである。
【００１７】
図４は、本発明に係る他の実施例を示す昇降装置の断面図である。この図に示すように、１対の内筒１８と外筒１９から構成された昇降シリンダから構成され、１対の昇降シリンダをアーム連結部材２０によって連結され、１対の昇降シリンダの中央部に昇降シリンダ４およびばね１７を設けたものである。この構造は１対の昇降シリンダから構成されることから、蓋の横方向であるアーム５の揺れを防止可能とした、安定性の良い昇降装置である。
【００１８】
図５は、本発明に係るアーム構造の断面図である。図５（ａ）はアームが１本から構成され、図３に相当するものであり、また、図５（ｂ）はコ状の１対のアーム構造のもので、図４に相当するものである。すなわち、この図５（ａ）は図３に示す昇降シリンダ４の上部に設置され、また、図５（ｂ）は図４のアーム連結部材２０に設置され、１対のアーム５によって旋回コークバケット本体７を上下に昇降される構造である。
【００１９】
上述したように、窯出しされた赤熱コークスを旋回バケットで受け入れた後、バケット上部のコークス投入口に蓋をすることで、コークス乾式消火設備までの赤熱コークスを輸送する間に、旋回バケット上部のコークス投入口から発塵するのを防ぐことを可能とした。また、この蓋の脱着装置は、旋回コークバケット本体に装着すると、旋回バケットで動力源の供給が難しいことから、バケット移動台車に装備し、動力源の供給を可能とした。さらに、蓋の脱着は、昇降装置と蓋を退避位置から装着位置まで移動可能とする移動台車によって行うことができる。
【図面の簡単な説明】
【００２０】
【図１】本発明に係る旋回コークバケット本体を示す全体概略図である。
【図２】本発明に係る移動台車の断面図である。
【図３】本発明に係る昇降装置の断面図である。
【図４】本発明に係る他の実施例を示す昇降装置の断面図である。
【図５】本発明に係るアーム構造の断面図である。
【図６】従来の旋回コークバケット本体を示す全体概略図である。
【符号の説明】
【００２１】
１  走行台車
２  移動台車
３  昇降装置
４  昇降シリンダ
５  アーム
６  旋回コークバケット用蓋
７  旋回コークバケット本体
８  旋回装置
９  昇降ガイド
１０  チェーン
１１  スプロッケト
１２  駆動機
１３  カップリング
１４  軸受
１５  車輪
１６  昇降ガイド
１７  ばね
１８  内筒
１９  外筒
２０  アーム連結部材
特許出願人    新日本製鐵株式会社  他１名
代理人    弁理士    椎  名    彊  他１
【図１】
2006257252.tif 000003
【図２】
2006257252.tif 000004
【図３】
2006257252.tif 000005
【図４】
2006257252.tif 000006
【図５】
2006257252.tif 000007
【図６】
2006257252.tif 000008